(57)【特許請求の範囲】
【請求項１】
開口部が壁面と面一となるように壁体に埋め込まれたボックスと、
前記ボックスの開口縁部近傍から前記ボックス内へ突設された支持板と、
スイッチが組付けられ前記支持板に固定される固定板と、を有するスイッチボックス構造において、
前記ボックスの開口縁部を覆う中央部が開口したカバーと、
前記カバーから前記ボックス内へ突出する取付枠と、
前記取付枠に回動可能に取付けられ前記カバーの開口を閉塞する蓋と、
前記蓋の閉止状態で前記スイッチ操作部と接触せず、前記スイッチ操作部にロックプレートの旋回動作が干渉されない位置に取付けられたロック装置と、を有し、
前記スイッチを覆う化粧板から露出された前記スイッチ操作部が、前記壁面と面一となる前記ボックスの開口面から突出しない近傍位置となるように、前記固定板を前記支持板の裏面に固定して構成したことを特徴とするスイッチボックス構造。
【発明の詳細な説明】
【０００１】
【発明の属する技術分野】
本発明は、電動シャッター等を開閉操作するスイッチを収納する埋め込み式のスイッチボックス構造に関する。
【０００２】
【従来の技術】
図８及び図９に示すように、電動シャッターを開閉操作するスイッチ１０が収納されたボックス７０は、壁体１４に埋め込まれており、ボックス７０の開口縁部は、中央部に矩形状の開口部７２Ａを備えた枠状のカバー７２で覆われている。この開口部７２Ａは、防犯のために、ヒンジピン７６で回転可能に軸支された蓋７４で閉止されている。
【０００３】
また、蓋７４には、シリンダー錠７８が取付けられており、キーをシリンダー錠７８へ挿入し、ロックプレート８０を旋回させると、取付枠８４に穿設された掛止口８２に掛止されるようになっている。
【０００４】
ところで、スイッチ１０を収納したボックス７０は、安全性を考慮して壁面１４Ａから操作ボタン３０が露出しないように、奥行きＬが大きく取られている。このため、ボックス７０のサイズが大きくなり、壁体１４のコンクリートを打設する前に、型枠へボックス７０を取付ける作業が容易でない。
【０００５】
一方、埋込み式のスイッチとして、図１０に示すようなボックス１２（例えば、ＪＩＳ規格の製品）がある。このボックス１２は、小型化を図るため奥行きが小さくなっており、そのため、スイッチ１０が組付けられた化粧板７３を固定する支持板２２が、開口縁部に設けられている。
【０００６】
このような小型のボックス１２は、埋め込み作業は容易であるが、スイッチ１０の操作ボタン３０が壁面１４Ａから露出してしまう。また、シリンダー錠７６の壁面１４Ａからの突出高さが大きくなり、好ましくない。
【０００７】
さらに、従来は、スイッチ１０が組付けられた取付板７９をねじ８１で化粧板７３に固定し、化粧板７３をねじ８３で支持板２２に固定するようになっていたので、スイッチ１０をボックス１２へ取付ける作業に手間を要した。
【０００８】
【発明が解決しようとする課題】
本発明は上記事実を考慮し、小型のボックスであっても、スイッチ操作部を壁面から露出させることがなく、また、取付作業が容易なスイッチボックス構造を提供することを課題とする。
【０００９】
【課題を解決するための手段】
請求項１に記載の発明は、開口部が壁面と面一となるように壁体に埋め込まれたボックスと、ボックスの開口縁部近傍からボックス内へ突設された支持板と、スイッチが組付けられ支持板に固定される固定板と、を有するスイッチボックス構造において、ボックスの開口縁部を覆う中央部が開口したカバーと、カバーからボックス内へ突出する取付枠と、取付枠に回動可能に取付けられカバーの開口を閉塞する蓋と、蓋の閉止状態でスイッチ操作部と接触せず、スイッチ操作部にロックプレートの旋回動作が干渉されない位置に取付けられたロック装置と、を有し、スイッチを覆う化粧板から露出されたスイッチ操作部が、壁面と面一となるボックスの開口面から突出しない近傍位置となるように、固定板を支持板の裏面に固定して構成したことを特徴とする。
【００１０】
上述のように構成することにより、固定板が、支持板の裏面に固定されるから、これらの板厚合計だけ、スイッチがボックスの奥方へオフセットされる。これにより、小型化を図るため奥行きが小さなボックスを用いても、スイッチのスイッチ操作部がボックスの開口面から突出せず、壁面と面一となるボックスの開口面から突出しない近傍位置となるように構成できる。
また、この蓋には、ロック装置が取付けられており、蓋の閉止状態で蓋をロックするようになっている。このロック装置は、蓋の閉止状態でスイッチ操作部と接触せず、スイッチ操作部にロックプレートの旋回動作が干渉されない位置に取付けられている。従って、ロック装置をボックスの奥方へ位置させることにより、蓋からのロック装置の突出量を小さくすることができる。すなわち、壁面からのロック装置の突出量を小さくすることができる。
【００１７】
【発明の実施の形態】
図１及び図２には、第１形態に係るスイッチボックス構造が示されている。
【００１８】
スイッチ１０を収納するボックス１２（本形態では、一例としてＪＩＳ規格のボックスを使用）は、一方が開口した長方形状の箱体で、開口面が壁面１４Ａと略面一となるように、壁体１４の中に埋め込まれている。ボックス１２の側壁１２Ａには、接続孔１６が形成されており、この接続孔１６へ壁体１４中に埋め込まれた配管１８が接続されている。この配管１８を通じて、電線２０がスイッチ１０に接続されている。
【００１９】
一方、ボックス１２の開口縁部近傍には、矩形板状の支持板２２がボックス１２内へ突設されている。支持板２２には、ねじ孔２４が形成されており、ねじ２６が螺合されるようになっている。
【００２０】
また、スイッチ１０は取付板２８に組付けられており、この取付板２８は、スイッチ１０の両端部から外方へ張り出している。スイッチ１０の操作ボタン３０は、化粧板３２に形成された貫通孔３４から外方へ突出している。化粧板３２の両端部には、ねじ孔３６が形成されており、取付板２８のねじ孔３８と重ね合わされている。
【００２１】
また、ボックス１２の開口縁部には、中央部に矩形状の開口部４０Ａを備えた枠状のカバー４０が配設され、壁面１４Ａとボックス１２の接合部分を隠している。カバー４０の開口部４０Ａの上下縁からは、アングル状の取付枠４２がボックス１２側へ突出している。この取付枠４２の屈曲部４２Ａが、ボックス１２の開口縁部に当接し、先端片４２Ｂが支持板２２と平行に対峙している。また、取付枠４２の先端片４２Ｂには、円孔が形成されており、ねじ２６が挿通可能となっている。
【００２２】
次に、本形態に係るスイッチボックス構造の作用を説明する。
本形態では、支持板２２の裏面へ、スイッチ１０が組付けられた取付板２８及び化粧板３２を重ね合わせ、先端片４２Ｂの円孔へ挿通されたねじ２６をねじ込むことによって、取付枠４２、化粧板３２、及び取付板２８が支持板２２へ一体に固定される。
【００２３】
このように、化粧板３２及び取付板２８を、支持板２２の表面でなく裏面に固定するので、３枚の板厚合計だけ、スイッチ１０がボックス１２の奥方へオフセットされる。このため、スイッチ１０の操作ボタン３０がボックス１２の開口面から露出しない。
【００２４】
次に、第２形態に係るスイッチボックス構造を説明する。
図３及び図４に示すように、第２形態では、取付板４４が、第１形態と比較してボックス１２の外方へ位置しており、支持板２２の表面に固定されるようになっている。また、化粧板４６が、取付枠４８の先端片４８Ｂを、取付板４４との間に挟持している。さらに、スイッチ１０の操作ボタン３０と対応する面が、ボックス１２の奥方へ凹設され、化粧板４６の両端部分で段差４６Ａが生じている。
【００２５】
本形態では、ねじ２６で、取付板４４、取付枠４８の先端片４８Ｂ、化粧板４６の順番で支持板２２へ固定されているが、取付板４４がスイッチ１０よりボックス１２の外方へ位置し、また、化粧板４６をボックス１２の奥方に凹設する段差４６Ａを形成することで、スイッチ１０をボックス１２の奥方へオフセットさせている。このため、操作ボタン３０がボックス１２の開口面から露出しない。
【００２６】
また、ねじ２６で取付板４４、化粧板４６、及び取付枠４８が一体に支持板２２にねじ止めされるので、従来のように、取付板を化粧板に、化粧板を支持板と、順次固定する作業工程がなくなり、取付作業の迅速化を図ることができる。
【００２７】
さらに、本形態のスイッチボックス構造は、カバー５０の開口部５０Ａが蓋５２で閉止される、いわゆる二重蓋構造となっている。
【００２８】
すなわち、上下に配置された取付枠４８には、ヒンジピン５４が回転可能に軸支されており、このヒンジピン５４に蓋５２の裏面が固定されている。これによって、蓋５２がヒンジピン５４を軸として開閉可能とされている。
【００２９】
蓋５２の自由端側には、シリンダー錠５６が設けられている。シリンダー錠５６の先端には、ロックプレート５８が設けられており、図示しないキーをシリンダー錠５６へ挿入し、ロックプレート５８を旋回させると、上下方向へ延びる取付枠４９に穿設された掛止口６０に掛止されるようになっている。これによって、蓋５２がロック状態となる。
【００３０】
次に、第３形態に係るスイッチボックス構造を説明する。
第３形態では、図５及び図６に示すように、開口幅が大きいボックス６２が使用されており、シリンダー錠５６が、蓋５３を閉じたとき操作ボタン３０と接触しない位置に取付けられている。これにより、ロックプレート５８の旋回動作が、操作ボタン３０に干渉されないため、シリンダー錠５６を化粧板４６に接近させることができ、結果として、壁面１４Ａからのシリンダー錠５６の突出量が小さくなる。
【００３１】
次に、第４形態に係るスイッチボックス構造を説明する。
図７に示すように、第４形態では、シリンダー錠５６に設けられたロックプレート５８を掛止する構造が、取付枠に穿設された掛止口でなく、上下方向へ延びる取付枠６０の板幅を狭くして、取付枠６０の端縁６０Ａで掛止するようになっている。
【００３２】
このため、従来のように、掛止口を穿設する必要がなく、取付枠６０の板幅を小さくするだけでよいので加工が容易になる。
【００３３】
【発明の効果】
本発明は上記構成としたので、小型のボックスであっても、スイッチ操作部を壁面から露出させることがなく、また、取付作業が容易となる。
【図面の簡単な説明】
【図１】第１形態に係るスイッチボックス構造を示した断面図である。
【図２】第１形態に係るスイッチボックス構造を示した正面図である。
【図３】第２形態に係るスイッチボックス構造を示した断面図である。
【図４】第２形態に係るスイッチボックス構造を示した分解斜視図である。
【図５】第３形態に係るスイッチボックス構造を示した断面図である。
【図６】第３形態に係るスイッチボックス構造を示した正面図である。
【図７】第４形態に係るスイッチボックス構造を示した分解斜視図である。
【図８】従来のスイッチボックス構造を示した断面図である。
【図９】従来のスイッチボックス構造に用いられた蓋を開放した状態を示す断面図である。
【図１０】従来のスイッチボックス構造を示した断面図である。
【符号の説明】
１２    ボックス
２２    支持板
２８    取付板（固定板）
３０    スイッチ操作部
３２    化粧板（固定板）
４０    カバー
４２    取付枠
５２    蓋
５６    シリンダー錠（ロック装置）
５８    ロックプレート
６０    取付枠
６０Ａ  端縁
【図１】
0003592009.tif 000002
【図２】
0003592009.tif 000003
【図３】
0003592009.tif 000004
【図４】
0003592009.tif 000005
【図５】
0003592009.tif 000006
【図６】
0003592009.tif 000007
【図７】
0003592009.tif 000008
【図８】
0003592009.tif 000009
【図９】
0003592009.tif 000010
【図１０】
0003592009.tif 000011